(57)【要約】【課題】外来ノイズや静電気による内部の電子部品の破壊、誤動作といったことを防止し、かつコンパクト化および信頼性、更には、組込み作業性の向上を図ることができる電子機器を提供する。【解決手段】外装部材１ｂ上に配置され、外部操作される操作手段１４ａと、操作手段の内部側に対向して配置され、その操作力を受け止める板部材１５と、板部材と筐体のグランド電位を持つ部材１６と外装部材とを共に締結して、これらを電気的に接地させるねじ１８とを有する。【選択図】図４
2006065147.tif 000002
【特許請求の範囲】
【請求項１】
外装部材上に配置され、外部操作される操作手段と、
前記操作手段の内部側に対向して配置され、その操作力を受け止める導電性材料よりなる板部材と、
前記板部材と筐体のグランド電位を持つ部材と前記外装部材とを共に締結して、これらを電気的に接地させるねじと、
を有することを特徴とする電子機器。
【請求項２】
前記外装部材の前記ねじによる締結位置を、外観上露出しない位置としたことを特徴とする請求項１に記載の電子機器。
【発明の詳細な説明】
【技術分野】
【０００１】
本発明は、外装部材上に各種機能釦およびダイヤル等の操作手段を具備する電子機器に関するものである。
【背景技術】
【０００２】
近年、撮像素子等により取り込まれた画像を表示、または記録媒体に記録することが可能な撮像装置（デジタルスチルカメラ等）が電子機器の中でも広く普及している。この種の撮像装置においては、高性能化に伴い、機能の設定等を行う操作釦の数も年々増加する傾向がある。例えば、撮像装置の電源ＯＮ／ＯＦＦを行うメイン釦、撮影動作を実行するレリーズ釦、撮影レンズの焦点距離を可変させるズーム（拡大・縮小）釦、液晶表示装置のＯＮ／ＯＦＦを切り替えるディスプレイ釦、撮像装置の各種設定を開くメニュー釦、決定指示をするセット釦、カーソルの移動・画像の選択等に用いる十字（方向）釦、ストロボの強制発光切り替え釦、連写釦、タイマ釦、画像削除釦、マニュアルフォーカス釦、マクロ撮影釦等、多種にわたる。
【０００３】
また、上記釦の配置は、使用頻度・機能により決定されるが、撮像装置の小型化が益々加速され、配置箇所が制限されてきているため、複数の機能操作釦が集中する傾向にある。これにより、釦配置に要する背面側板等の外装部材に開けられる孔数が増加し、ノイズや静電気が外部より撮像装置内部へ侵入し易くなるので、内部の電子部品の破壊・誤動作を生ずる虞が高くなっていた。
【０００４】
従来、静電気等による内部の電子部品の破損等を防止するための構造を備えた撮像装置としては、特許文献１および２に開示されたものがある。特許文献１においては、負極側の電池接片と導電性を有する外装部材とを、導電性を有する固定部材により撮像装置本体に共締めすることで、外装部材に人体等の帯電した物体が触れても、静電気が電子部品へ流れ込むことがないようにして、該電子部品が破壊されることを防止している。また、特許文献２においては、導電性材料の外装カバーの内側に非導電性材料のインナーカバーを設ける際、その間に導電性を有する板バネを設け、その板バネの先端部をインナーカバーの穴部を通して導電性の吊り環に弾性的に接触可能とし、グランド電位とすることで、外部からの静電気による電子部品の破壊防止を図っている。
【特許文献１】特開平１１−０１５０５４号公報
【特許文献２】特開２００２−０７２３１７号公報
【発明の開示】
【発明が解決しようとする課題】
【０００５】
しかしながら、上記特許文献１および特許文献２に開示された撮像装置においては、導電性を有する外装部材が複数ある場合、その接続時の導通安定性は、前記外装部材の加工精度、板バネ等の弾性部材に依存しており、ビス締結による接触安定性がない。
【０００６】
また、特許文献１および特許文献２に開示された撮像装置は、いずれも導電性を有する外装部材を用いたものであり、コストダウンを意図した樹脂材料等の非導電性材料の外装部材では導通させることができず、成り立たない。
【０００７】
さらに、上記のように各種機能釦およびモードダイヤル等の操作手段を有する電子機器において、前記操作手段の内部側に対向して配置され、その押圧操作力を受け止める板部材を筐体のＧＮＤ（グランド電位部分）に接地させることができず、電気的不安定な状態となっていた。
【０００８】
（発明の目的）
本発明の目的は、外来ノイズや静電気による内部の電子部品の破壊、誤動作といったことを防止し、かつコンパクト化および信頼性、更には、組込み作業性の向上を図ることのできる電子機器を提供しようとするものである。
【課題を解決するための手段】
【０００９】
上記目的を達成するために、本発明は、外装部材上に配置され、外部操作される操作手段と、前記操作手段の内部側に対向して配置され、その操作力を受け止める板部材と、前記板部材と筐体のグランド電位を持つ部材と前記外装部材とを共に締結して、これらを電気的に接地させるねじとを有する電子機器とするものである。
【００１０】
上記構成においては、ねじを用いて、板部材と筐体のグランド電位を持つ部材と外装部材とをねじによる締結によって電気的に接続しているので、外来ノイズや静電気による内部の電子部品の破壊、誤動作を確実に防止可能にしている。また、上記構成であるため、外装部材に、コストダウンを意図した樹脂材料により形成したものを用いることができる。
【００１１】
また、ねじによる締結にて、板部材と筐体のグランド電位を持つ部材とを電気的に接続（接地）するようにしているので、接地のための構成を簡素化でき、コンパクト化できるができるとともに、振動や衝撃が撮像装置に加わったとしても電気的接触が外れることが無いので、信頼性が高く、組込み作業性も良好なものとなる。
【発明の効果】
【００１２】
本発明によれば、外来ノイズや静電気による内部の電子部品の破壊、誤動作といったことを防止し、かつコンパクト化および信頼性、更には、組込み作業性の向上を図ることができる電子機器を提供できるものである。
【発明を実施するための最良の形態】
【００１３】
以下の一実施例に示す通りである。
【実施例】
【００１４】
図１〜図７は本発明の一実施例に係わる撮像装置を示す図であり、各図を用いて、撮像装置の外観部材である各構成部材のレイアウトなどについて説明する。
【００１５】
図１は、本発明の一実施例に係わる撮像装置の正面図であり、図示のように、この撮像装置には、前面中央部に、撮影レンズ用開口部２が、上側に、光学ビューファインダ３、撮影時に光量が足りない時等に必要に応じて発光するストロボ光を出射するストロボ発光窓４、ネックストラップ取付部材６ａ，６ｂ、レリーズ釦７が、左側に、撮像装置の把持性能向上を目的としたグリップ部５が、それぞれ配置されている。
【００１６】
また、撮像装置本体１の外装部材は主として前面側板１ａと背面側板１ｂ（図２参照）により構成され、これらにより撮像装置の各種内部構成部材が覆われている。上記撮影レンズ用開口部２の内部には撮影光学系が配置されており、該撮影光学系により被写体像が撮像素子に結像される。結像された像はこの撮像素子で電気信号に変換され、本体内部で信号処理が施されることになる。
【００１７】
図２は、本発明の一実施例に係わる撮像装置の背面図であり、図１と同じ部材は同一符号を付し、その説明は省略する。撮像装置の背面には、図１と同様の光学ビューファインダ３や、液晶表示装置８、メイン釦９、モードダイヤル１０、および、各種の機能を設定する機能操作釦１４が配置されている。
【００１８】
上記液晶表示装置８は、撮像する被写体像の確認や、撮像された画像の再生表示、撮影条件等の各種情報表示に用いられるものであり、後述のように回動式となっている。上記メイン釦９は、撮像装置の電源ＯＮ／ＯＦＦを行う釦である。上記モードダイヤル１０は、撮像モードを変更するものであり、回動可能に軸支されている。上記機能操作釦１４は、グリップ部５側に配置されており、この機能操作釦１４中には、十字（方向）釦１４ａが具備されている。
【００１９】
図３は、本発明の一実施例に係わる撮像装置の前面側斜視図であり、図１および図２と同じ部材は同一符号を付し、その説明は省略する。この撮像装置はほぼ偏平な外形形状にグリップ部５を有した外観形状をしており、前面中央部に、上記したように撮影レンズ用開口部２が配置され、側面部に、カバー部材１１が配置されている。上記カバー部材１１は、外部接続端子を覆うものであり、外部接続端子には、撮影した画像を外部モニタ（ＴＶ等）に表示する為のビデオジャックや、ＰＣ（パーソナルコンピュータ）に撮影した画像を転送する際に使用する接続部がある。
【００２０】
図４は、本発明の一実施例に係わる撮像装置の主要部分の構成を示す斜視図である。図４に示すように、背面側板１ｂ内に、導電性を有し、各種機能操作釦１４の押圧に耐えうる強度をもつ板部材１５が組み込まれ、一点鎖線で示すように、この板部材１５は外部から孔部１５ａを通してメインフレーム１６に固定ビス１８によって締結される。これにより、板部材１５の孔部１５ａが筐体のＧＮＤであるメインフレーム１６に当接し、電気的に導通される。なお、あらかじめメインフレーム１６には、メイン基板１７が固定ビス締結により固定され、それにより接地されている。メインフレーム１６は、撮影光学系のノイズが入らないよう、光学系周囲に孔形状を施していると良い。なお、上記板部材１５は操作基板としての機能も有し、操作手段をコントロールするサブＣＰＵ、機能操作釦１４の各スイッチ等が搭載されている。
【００２１】
図５は、本発明の一実施例に係わる撮像装置の背面側斜視図であり、図１ないし図４と同じ部材は同一符号を付し、その説明は省略する。撮像装置には、さらに、電池収納室の電池蓋部材１２、記録媒体室の記録媒体蓋１３が具備されている。上記記録媒体蓋１３は、各々蓋部材を開状態にすることによって、主電池および記録媒体の挿抜を可能にするものである。
【００２２】
図５と上記図２との比較から明らかように、液晶表示装置８は回転式となっている。図５では液晶表示装置８は本体より開状態となっており、液晶表示装置８が閉状態となった時に、この回動式液晶表示装置８を受けるクッション部材１９が二ヶ所に設けられている。
【００２３】
上記クッション部材１９の少なくとも一箇所が、外装部材（背面側板１ｂ）の締結に用いる固定ビス１８の上部に配置され、シーリングされている。これにより、固定ビス１８は、回動式液晶表示装置８の閉状態の際にも、外観上露出しない箇所、すなわち準外観部の配置となっている。また、固定ビス１８の軸方向上部に、液晶表示装置８を受けるクッション部材１９をシーリングすることにより、完全に外観上露出することを防ぐことができ、外観向上に繋がる。
【００２４】
図６は、本発明の一実施例に係わる撮像装置の外装部材の固定ビス締結部分を示す断面図である。図４でも説明したように、背面側板１ｂ内に、導電性を有し、機能操作釦１４の押圧に耐えうる強度をもつ板部材１５が組み込まれ、この板部材１５が筐体のＧＮＤであるメインフレーム１６に当接し、固定ビス１８の共締めにより電気的に導通される。
【００２５】
このように、固定ビス１８により、機能操作釦１４等の操作手段の内部側に対向して配置され、その押圧操作力を受け止める板部材１５と筐体のＧＮＤであるメインフレーム１６とが固定され、それにより電気的に接続されているようにしているので、釦配置に要する背面側板１ｂに開けられる孔数が増加したとして、ノイズや静電気が外部より撮像装置内部へ侵入し易い状態であっても、外来ノイズや静電気は固定ビス１８を介して筐体のＧＮＤであるメインフレーム１６ヘ流れ込み、内部の電子部品を破壊する、といったことを防止できるとともに、電子部品の誤動作を招くことも無くなる。
【００２６】
また、固定ビス１８による締結のため、従来のように部品の加工精度を要求するといったこともなく、また容易に組込み作業を行うことができ、振動や衝撃が撮像装置に加わったとしても、電気的接触が外れることがない。よって、静電気に対して強固となり、撮像装置の内部の各電子部品の破壊、誤動作の防止をより確実に図ることができる。
【００２７】
図７は、本発明の一実施例に係わる撮像装置の背面側斜視図であり、図１ないし図６と同じ部材は同一符号を付し、その説明は省略する。上記した記録媒体蓋１３は開状態となっており、記録媒体蓋１３内で背面側板１ｂを固定ビス１８で締結する。この場合においても、つまり記録媒体蓋１３の閉状態の場合においては、固定ビス１８は外観上露出しない箇所となっている。よって、固定ビス１８が外観上露出することを防ぐことができ、外観向上に繋がる。
【００２８】
なお、機能操作釦１４を保持する板部材１５を筐体のＧＮＤであるメインフレーム１６と共締めする外装部材の固定ビス１８の位置は、記録媒体蓋１３内以外にも、電池蓋１２内、外部接続端子を覆うカバー部材１１内であっても良い。
【００２９】
以上の実施例によれば、機能操作釦１４等の操作手段の内部側に対向して配置され、その押圧操作力を受け止める板部材１５と筐体のＧＮＤであるメインフレーム１６とを固定ビス１８により固定し、それにより電気的に接続する構成にしているので、板部材１５とメインフレーム１６（ＧＮＤ電位を持つ部材）を非導電性からなる外装部材において覆われていても確実に接地させることができ、外来ノイズや静電気による内部の電子部品の破壊、誤動作を防止できる。また、上記のように外装部材は非導電性材料よりなるものでも良いため、コストダウンを意図した樹脂材料にて外装部材を形成することができる。
【００３０】
また、固定ビス１８の締結により実現できるので、よりコンパクト化することができるとともに、振動や衝撃が撮像装置に加わったとしても電気的接触が外れることが無いので信頼性が高く、更には組込み作業性の向上を図ることもできる。
【００３１】
さらに、固定ビス１８の外装部材上での締結位置を、液晶表示装置８を閉じた状態では見えない位置、記録媒体蓋１３内の位置、電池蓋１２内、外部接続端子を覆うカバー部材１１内等、つまり外観上露出しない位置にしているので、外観を損なうことも無い。
【００３２】
なお、板部材１５のＧＮＤ当接部となる孔部１５ｂは、メインフレーム１６との接触面積が大きく、板部材１５各箇所よりインピーダンスを下げるため、最短距離となるよう、中央に配置することが望ましい。また、前記板部材１５は、導電性を有し、各種機能操作釦の押圧に耐えうる強度のある操作系プリント基板であっても良い。
【００３３】
本実施例では、撮像装置に適用した例を示しているが、携帯端末等、その他の電子機器にも同様に適用可能である。
【図面の簡単な説明】
【００３４】
【図１】本発明の一実施例に係わる撮像装置の正面図である。
【図２】本発明の一実施例に係わる撮像装置の背面図である。
【図３】本発明の一実施例に係わる撮像装置の前面側斜視図である。
【図４】本発明の一実施例に係わる撮像装置の主要部分の構成を示す斜視図である。
【図５】本発明の一実施例に係わる撮像装置の背面側斜視図である。
【図６】本発明の一実施例に係わる撮像装置の外装部材の固定ビス締結部分を示す断面図である。
【図７】本発明の一実施例に係わる撮像装置の主要部分の構成を示す斜視図である。
【符号の説明】
【００３５】
１      撮像装置本体
１ａ    前側板
１ｂ    後側板
７      レリーズ釦
８      回動式の液晶表示装置
９      メイン釦
１０    モードダイヤル
１１    外部接続端子を覆うカバー部材
１２    電池蓋
１３    記録媒体蓋
１４    機能操作釦
１５    板部材
１５ａ  孔部
１６    筐体のＧＮＤとなるメインフレーム
１７    メイン基板
１８    固定ビス（固定部材）
１９    クッション部材
【図１】
2006065147.tif 000003
【図２】
2006065147.tif 000004
【図３】
2006065147.tif 000005
【図４】
2006065147.tif 000006
【図５】
2006065147.tif 000007
【図６】
2006065147.tif 000008
【図７】
2006065147.tif 000009